(57)【特許請求の範囲】
【請求項１】
本体と；
液晶パネルと，電源の供給を受けて前記液晶パネルに映像表示のための光を供給するＬＣＤバックライトとを有し，前記本体の上部に回動可能に結合されて前記本体の上部面を開閉する液晶ディスプレイと；
を備えた携帯用コンピュータであって，
前記本体と前記液晶ディスプレイのうちのいずれか一方に設けられるラッチ係止部と；
前記本体と前記液晶ディスプレイのうちの他方に設けられるラッチ受容部と；
前記ラッチ受容部に設けられ，前記ラッチ係止部に係止される係止位置と，前記ラッチ係止部から係止解除される係止解除位置との間を移動できるラッチ部材と；
前記ラッチ受容部に設けられ，前記ラッチ部材の移動位置にしたがって前記バックライトへの電源の供給を遮断するＬＣＤスイッチ部と；
を含み，
前記ラッチ部材は，前記ラッチ受容部内の一方に位置する前記係止解除位置から，前記係止位置を経て，前記ラッチ受容部内の他方に位置し前記液晶ディスプレイを開けることが可能な拡張位置まで移動可能に設けられ，
前記ＬＣＤスイッチ部は，
前記ラッチ部材に設けられる突起バーと；
前記ラッチ部材が前記係止位置から前記拡張位置までの間に位置して前記突起バーによって押されている時には，前記電源を遮断する多段階押しスイッチと；
を有し，
前記多段階押しスイッチは，
前記ラッチ部材が前記係止位置を経て前記拡張位置に到達して前記突起バーによって完全に押された時には，前記電源を遮断する押し状態を維持し，
前記押し状態が維持されている状態で，再度，前記ラッチ部材が前記係止位置を経て前記拡張位置に到達して前記突起バーによって完全に押された時には，前記押し状態を解除する，
ことを特徴とする携帯用コンピュータ。
【請求項２】
前記ラッチ受容部は，前記ラッチ部材を係止方向に弾性加圧するスプリングを含むことを特徴とする請求項１に記載の携帯用コンピュータ。
【請求項３】
前記ラッチ係止部は前記本体側に設けられ，前記ラッチ受容部は前記液晶ディスプレイ側に設けられることを特徴とする請求項１または２のいずれかに記載の携帯用コンピュータ。
【請求項４】
前記ラッチ係止部は前記液晶ディスプレイ側に設けられ，前記ラッチ受容部は前記本体側に設けられることを特徴とする請求項１または２のいずれかに記載の携帯用コンピュータ。
【発明の詳細な説明】
【０００１】
【発明の属する技術分野】
本発明は，携帯用コンピュータに関し，より詳細には，ＬＣＤバックライトへの電源供給を遮断するＬＣＤスイッチの構造が改善された携帯用コンピュータに関する。
【０００２】
【従来の技術】
一般に，ノートブック型コンピュータと呼ばれる携帯用コンピュータは，小型軽量で携帯性，可搬性が優れるが，電源供給源のない屋外などでは充電バッテリが消耗すると使用できない。
【０００３】
したがって携帯用コンピュータメーカーは，携帯用コンピュータの電力消費量を削減して充電バッテリの持続時間を延長する技術を開発している。
【０００４】
携帯用コンピュータは，液晶パネルの裏からバックライトにより光を照射して映像を見えるようにするが，このＬＣＤバックライトは比較的電力消耗が大きい。このため，液晶パネルに映像を表示するために必要な電力消費量を削減すれば，バッテリの持続時間を効果的に延長させることができる。
【０００５】
図６は，従来の携帯用コンピュータの斜視図である。図６に示したように，従来の携帯用コンピュータ１０１は，本体１１０と，本体１１０の上部に折畳可能にヒンジ結合される液晶ディスプレイ１２０とを有している。
【０００６】
本体１１０内には，メインボードを始めとしてＣＰＵ，ＨＤ，メモリー等の部品が設けられており，本体１１０の上部面には，タイプ入力のためのキーボード１１３や，タッチパッド１１１などが設けられている。本体１１０の上部面前端部には，後述する液晶ディスプレイ１２０のラッチ部材１３３が係止されるように，ラッチ係止孔１１５が形成されている。
【０００７】
液晶ディスプレイ１２０は，ＬＣＤケーシング１２１と，ＬＣＤケーシング１２１内に収容される液晶パネル１２３と，液晶パネル１２３の背面に設けられるＬＣＤバックライト（図示せず）とを含んでいる。液晶ディスプレイ１２０の自由端部には，液晶ディスプレイ１２０が本体１１０の上部面に接する状態で，ラッチ係止孔１１５に係止及び係止解除されるラッチ部材１３３と，ラッチ部材１３３を係止解除位置に移動させることができるノブ１４３とが設けられている。
【０００８】
液晶ディスプレイ１２０の液晶パネル１２３は，本体１１０からの映像信号が伝達されて前面に映像を表示し，ＬＣＤバックライトは，電源が供給されれば液晶パネル１２３に平面光を伝達して，液晶パネル１２３に映像が表示されるようにする。
【０００９】
また，本体１１０及び液晶ディスプレイ１２０には，本体１１０に電源が供給されている状態で液晶ディスプレイ１２０を閉じる時に，ＬＣＤバックライトに供給される電源を遮断するＬＣＤスイッチ１５０が設けられている。ＬＣＤスイッチ１５０は，ＬＣＤケーシング１２１のヒンジ１５５と隣接して本体１１０の上部面に設けられる押しスイッチ１５３と，押しスイッチ１５３に対応する位置に液晶ディスプレイ１２０の前面ケーシングに形成された突起バー１５１とからなっている。
【００１０】
このような構成によって，携帯用コンピュータ１０１の使用中にユーザーが液晶ディスプレイ１２０を閉じれば，突起バー１５１が押しスイッチ１５３を押すことによりＬＣＤバックライトに伝達される電源が遮断されて，液晶パネル１２３がオフされる。また，ユーザーが液晶ディスプレイ１２０を開ければ，突起バー１５１が押しスイッチ１５３から離れて，ＬＣＤバックライトに電源が供給される。これにより，携帯用コンピュータ１０１の使用中に液晶ディスプレイ１２０を閉じれば，本体１１０への電源供給の維持された状態で，比較的に電力消耗量の大きい液晶パネル１２３がオフされることにより，充電バッテリの電力消耗量を削減することができる。
【００１１】
図７は，従来の他の形態の携帯用コンピュータのラッチ部材２３３の設置領域の断面図である。図７に示した携帯用コンピュータにおいて，液晶パネル（図示せず）に光を伝達するＬＣＤバックライト（図示せず）への電源を遮断するＬＣＤスイッチ２５０は，ラッチ係止孔２１５内に設けられた押しスイッチ２５３と，液晶ディスプレイ２２０に設けられたラッチ部材２３３の係止突起２５１とからなっている。
【００１２】
このような構成によって，ユーザーが携帯用コンピュータの使用中に液晶ディスプレイ２２０を閉じれば，ラッチ部材２３３の係止突起２５１がラッチ係止孔２１５に係止されるとともに，ラッチ係止孔２１５内に設けられた押しスイッチ２５３を押すことにより，ＬＣＤバックライトに伝達される電源を遮断して液晶パネルをオフさせる。また，ユーザーが液晶ディスプレイ２２０を開ければ，ラッチ部材２３３が押しスイッチ２５３から離れてＬＣＤバックライトに電源が供給される。
【００１３】
ところが，この種の携帯用コンピュータは，ＬＣＤバックライトに供給される電源の遮断が液晶ディスプレイの開閉時だけに行われるようになっているので，液晶ディスプレイを開けた状態でＬＣＤスイッチを操作して，ＬＣＤバックライトへの電源供給を遮断することはできないという問題がある。
【００１４】
このような問題を解決するため，ユーザーがキーボードの所定キーを操作することによりＬＣＤバックライトへの電源を遮断することができる携帯用コンピュータが開発されている。しかしこの場合，別途のソフトウェア的なスイッチ制御フローが必要になるという問題がある。
【００１５】
また，ＬＣＤスイッチを通じてＬＣＤバックライトへの電源供給を遮断する場合，ＬＣＤスイッチとＬＣＤスイッチを押して操作する突起バーまたは係止突起が，それぞれ本体と液晶ディスプレイに別途に必要なので，構造が複雑で，製造コストが増加する問題がある。さらに，本体または液晶ディスプレイのいずれか一つを構造変更する場合，ＬＣＤスイッチと，突起バーまたは係止突起との相互構造を変更すべきであるので，構造変更のために付加的な時間と労力が必要になるという問題がある。
【００１６】
【発明が解決しようとする課題】
本発明の目的は，簡単な構造で，しかも液晶ディスプレイを開けた状態で，別途のソフトウェア的なスイッチ制御フローがなくてもユーザーが任意にＬＣＤバックライトへの電源供給を遮断することができる携帯用コンピュータを提供することにある。
【００１７】
【課題を解決するための手段】
前記課題を解決するための本発明の携帯用コンピュータは，本体と；液晶パネルと，電源の供給を受けて液晶パネルに映像表示のための光を供給するＬＣＤバックライトとを有し，本体の上部に回動可能に結合されて本体の上部面を開閉する液晶ディスプレイと；を備えた携帯用コンピュータであって，
本体と液晶ディスプレイのうちのいずれか一方に設けられるラッチ係止部と；本体と液晶ディスプレイのうちの他方に設けられるラッチ受容部と；ラッチ受容部に設けられ，ラッチ係止部に係止される係止位置と，ラッチ係止部から係止解除される係止解除位置との間を移動できるラッチ部材と；ラッチ受容部に設けられ，ラッチ部材の移動位置にしたがってバックライトへの電源の供給を遮断するＬＣＤスイッチ部と；を含むことを特徴とする。
上記ラッチ部材は，ラッチ受容部内の一方に位置する係止解除位置から，係止位置を経て，ラッチ受容部内の他方に位置し，液晶ディスプレイを開けることが可能な拡張位置まで移動可能に設けられる。また，ＬＣＤスイッチ部は，ラッチ部材が係止位置から拡張位置までの間に位置する時に，電源の供給を遮断する。上記ＬＣＤスイッチ部は，ラッチ部材に設けられる突起バーと；ラッチ部材が係止位置から拡張位置までの間に位置して突起バーによって押されている時には，電源を遮断する多段階押しスイッチと；を有する。この多段階押しスイッチは，ラッチ部材が係止位置を経て拡張位置に到達して突起バーによって完全に押された時には，電源を遮断する押し状態を維持し，押し状態が維持されている状態で，再度，ラッチ部材が係止位置を経て拡張位置に到達して突起バーによって完全に押された時には，押し状態を解除する。
【００１８】
このような簡単な構造で，別途のソフトウェア的なスイッチ制御フローがなくても，液晶ディスプレイを開けた状態でユーザーが任意にＬＣＤバックライトへの電源供給を遮断することができる。
【００２２】
このとき，ラッチ受容部は，ラッチ部材を係止方向に弾性加圧するスプリングを含んでいるとさらに効果的である。
【００２３】
ラッチ係止部は本体側に設けられ，ラッチ受容部は液晶ディスプレイ側に設けられてもよく，また，その逆であってもよい。
【００２４】
【発明の実施の形態】
以下に，本発明の実施の形態を，図面を用いて説明する。
【００２５】
図１は，本発明の一実施形態による携帯用コンピュータの斜視図である。図１に示したように，本発明による携帯用コンピュータ１は，本体１０と，本体１０の上部に折畳可能にヒンジ結合される液晶ディスプレイ２０とを有する。
【００２６】
本体１０内には，メインボードを始めとしてＣＰＵ，ＨＤ，メモリー等の部品が設けられており，本体１０の上部面には，タイプ入力のためのキーボード１３や，タッチパッド１１などが設けられている。また，本体１０の上部面前端部には，後述する液晶ディスプレイ２０の係止突起４５が係止されるようにラッチ係止部１５が設けられている。
【００２７】
液晶ディスプレイ２０は，ＬＣＤケーシング２１と，ＬＣＤケーシング２１内に収容される液晶パネル２３と，液晶パネル２３の背面に設けられるＬＣＤバックライト（図示せず）とを含んでいる。ＬＣＤケーシング２１は，相互結合により，液晶パネル２３及びＬＣＤバックライト等の収容空間を形成する前面ケーシング２７と，背面ケーシング２９とからなっている。
【００２８】
液晶ディスプレイ２０の液晶パネル２３は，本体１０からの映像信号が伝達されて前面に映像を表示し，ＬＣＤバックライトは，電源が供給されば，液晶パネル２３に平面光を伝達して，液晶パネル２３に映像が表示されるようになっている。
【００２９】
液晶ディスプレイ２０の自由端部の中央領域には，図２に示したように，液晶ディスプレイ２０の開閉時に，本体１０に形成されたラッチ係止部１５に係止及び係止解除されるラッチ部３０と，液晶パネル２３に平面光を伝達するＬＣＤバックライトへの電源供給を遮断するＬＣＤスイッチ部５０（図３を参照）とが設けられている。
【００３０】
図２は，図１のラッチ部３０及びＬＣＤスイッチ部５０の設置領域の分解斜視図である。図２に示したように，ラッチ部３０は，ＬＣＤケーシング２１の自由端部の中央領域に形成されるラッチ受容部３１と；ラッチ受容部３１内に操作可能に受容され，ラッチ係止部１５に係止及び係止解除されて，係止位置及び係止解除位置の間で往復移動するラッチ部材３３と；ラッチ部材３３を係止方向に弾性加圧するスプリング３５と；ラッチ受容部３０を覆うラッチカバー３７と；を有しているる。
【００３１】
ラッチ受容部３１は，ＬＣＤケーシング２１の端部に沿って所定の長さ陥没している。また，ラッチ受容部３０の一方には，スプリング３５の一端部が掛かる第１スプリング結合環４１が形成されている。
【００３２】
ラッチ部材３３は，ラッチカバー３７の外部に露出される操作ノブ４３と；操作ノブ４３に一体に形成されて，ラッチ係止部１５に係止及び係止解除される係止突起４５と；を有している。また，ラッチ部材３３の一方には，スプリング３５の他端部が掛かる第２スプリング結合環４７（図３参照）が形成されている。
【００３３】
ラッチカバー３７には，ラッチ部材３３の往復移動を案内する長孔状のガイド孔４８と，ラッチ部材３３の係止突起４５が通過する長孔状のフック通過孔４９とが形成されている。ガイド孔４８及びフック通過孔４９は，液晶ディスプレイ２０の開閉時に，ラッチ部材３３の係止突起４５がラッチカバー３７の一方に位置する係止解除位置（図３の位置”Ａ”）から，ラッチカバー３７の略中央領域に位置してラッチ係止部１５に係止される係止位置（図４の位置”Ｂ”）を経て，ラッチカバー３７の他方に位置する拡張位置（図５の位置”Ｃ”）まで往復移動することができる程度の長さを有するように形成されている。
【００３４】
液晶ディスプレイ２０が開いた状態で，ラッチ部材３３は，スプリング３５の復元力により係止解除位置（Ａ）に位置する。また，ユーザーが液晶ディスプレイ２０を閉じれば，ラッチ部材３３は，係止突起４５がラッチ係止部１５に係止される係止位置（Ｂ）で，スプリング３５の復元力により係止状態を維持する。
【００３５】
また，ラッチ部材３３は，ユーザーが液晶ディスプレイ２０を開ける時に操作ノブ４３を係止解除方向に移動させれば，拡張位置（Ｃ）に移動して，ユーザーが液晶ディスプレイ２０を開けながら操作ノブ４３から手を離せば，ラッチ部材３３はスプリング３５の復元力により係止解除位置（Ａ）に移動する。
【００３６】
一方，ＬＣＤスイッチ部５０は，ラッチ部材３３の他方に形成される突起バー５１と；ラッチ受容部３０の他方に設けられて，突起バー５１により押し操作される押しスイッチ５３とを有している。
【００３７】
突起バー５１は，ラッチ部材３３から所定長さほど突出する。突起バー５１は，ラッチ部材３３が係止位置（Ｂ）及び拡張位置（Ｃ）に位置する時に，押しスイッチ５３に接触する。
【００３８】
また，押しスイッチ５３は，ラッチ部材３３が係止位置（Ｂ）及び拡張位置（Ｃ）に位置する時に，突起バー５１により押し操作されて，ＬＣＤバックライトに供給される電源を段階的に遮断する多段階押しスイッチ５３である。ここで押しスイッチ５３は，ラッチ部材３３が完全に拡張位置（Ｃ）まで到達すれば，押されて解除される。また，押しスイッチ５３は押された状態を維持するうちに，ラッチ部材３３が係止位置（Ｂ）を経て，拡張位置（Ｃ）に入る所定区間（図４の位置”Ｄ”）で押し解除される。これにより，液晶ディスプレイ２０を開ける時に，常に，液晶パネル２３に映像が表示されるようになる。
【００３９】
以上のように構成された本発明による携帯用コンピュータ１は，システムの使用中に，ユーザーが液晶ディスプレイ２０を閉じれば，ラッチ部材３３が，図４に示したように，係止位置（Ｂ）に位置するとともに，ラッチ部材３３に形成されている突起バー５１が押しスイッチ５３を押して，ＬＣＤバックライトへの電源供給を遮断する。また，ユーザーが液晶ディスプレイ２０を開ければ，ラッチ部材３３が，図３に示したように，押しスイッチ５３から係止解除位置（Ａ）に離れて，押しスイッチ５３が押し解除される。これにより，ＬＣＤバックライトに電源が供給されて，液晶パネル２３に映像が表示される。
【００４０】
一方，ユーザーが液晶ディスプレイ２０を開けた状態でＬＣＤバックライトをオフさせようとする時には，ラッチ部材３３が拡張位置（Ｃ）まで完全に移動するように操作ノブ４３を操作する。これにより，突起バー５１が押しスイッチ５３を完全に押して，ＬＣＤバックライトへの電源供給が遮断されて，液晶パネル２３に映像が表示されない。このとき，ユーザーが操作ノブ４３から手を離せば，ラッチ部材３３は，スプリング３５の復元力により元の係止解除位置（Ａ）に戻るが，押しスイッチ５３は押し状態を維持する。
【００４１】
また，ユーザーがＬＣＤバックライトをオンさせて，液晶パネル２３に映像が表示されるようにする時には，もう一度ラッチ部材３３が拡張位置（Ｃ）まで完全に移動するように操作ノブ４３を操作する。そうすると，突起バー５１が押しスイッチ５３をもう一度押すことになり，押し解除される。これにより，ＬＣＤバックライトに電源が供給されて液晶パネル２３に映像が表示される。このとき，ユーザーが操作ノブ４３から手を離せば，ラッチ部材３３はスプリング３５の復元力により元の係止解除位置（Ａ）に戻り，押しスイッチ５３は完全に押し解除される。
【００４２】
一方，ユーザーが液晶ディスプレイ２０を開けた状態で操作ノブ４３を操作してＬＣＤバックライトをオフさせた状態で，液晶ディスプレイ２０を閉じてから開ければ，ラッチ部材３３が係止位置（Ｂ）を経て拡張位置（Ｃ）に入る所定区間（Ｄ）で押しスイッチ５３を押し解除させる。これにより，ＬＣＤバックライトをオフさせた状態で，液晶ディスプレイ２０を閉じてから開ければ，ＬＣＤバックライトに電源が供給されて液晶パネル２３に映像が表示される。
【００４３】
以上のように，ＬＣＤバックライトへの電源供給を遮断するＬＣＤスイッチ部をラッチ受容部内に設けて，ユーザーが任意に操作できるようにして，別途のソフトウェア的なスイッチ制御フローが不要で，液晶ディスプレイを開けた状態でも簡単にＬＣＤバックライトをオン・オフさせることができる。
【００４４】
また，ＬＣＤスイッチ部を本体または液晶ディスプレイのいずれか一つに設けられるラッチ受容部内にラッチ部材と共に設けることにより，本体または液晶ディスプレイのいずれか一つを構造変更するときに他の一つの構造を変更する必要がない。これにより，本体または液晶ディスプレイの個別的な構造変更が可能であり，構造が簡単で，製造コストが削減される。
【００４５】
前述した実施の形態では，ラッチ係止部が本体側に形成され，ラッチ部材及びＬＣＤスイッチ部が受容されるラッチ受容部が液晶ディスプレイ側に形成されるように述べたが，ラッチ係止部が液晶ディスプレイ側に形成され，ラッチ部材及びＬＣＤスイッチ部が受容されるラッチ受容部が本体側に形成されるようにすることもできる。
【００４６】
以上，添付図面を参照しながら本発明の携帯用コンピュータの好適な実施の形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００４７】
【発明の効果】
本発明により，液晶ディスプレイを開けた状態で，別途のソフトウェア的なスイッチ制御フローがなくてもユーザーが任意にＬＣＤバックライトへの電源の供給を遮断することができ，構造が簡単で，製造コストを削減することができる携帯用コンピュータが提供できた。
【図面の簡単な説明】
【図１】本発明の一実施形態による携帯用コンピュータの斜視図である。
【図２】図１の携帯用コンピュータのラッチ部及びＬＣＤスイッチ部の設置領域の分解斜視図である。
【図３】図２のラッチ部及びＬＣＤスイッチ部の動作状態を説明するための結合状態断面図である。
【図４】図２のラッチ部及びＬＣＤスイッチ部の動作状態を説明するための結合状態断面図である。
【図５】図２のラッチ部及びＬＣＤスイッチ部の動作状態を説明するための結合状態断面図である。
【図６】従来の携帯用コンピュータの斜視図である。
【図７】従来の他の形態の携帯用コンピュータにおける，ラッチ部材の設置領域の断面図である。
【符号の説明】
１    携帯用コンピュータ
１０    コンピュータ本体
１１    タッチパッド
１３    キーボード
１５    ラッチ係止部
２０    液晶ディスプレイ
２１    ＬＣＤケーシング
２３    液晶パネル
２７    前面ケーシング
２９    背面ケーシング
３０    ラッチ部
３１    ラッチ受容部
３３    ラッチ部材
３５    スプリング
３７    ラッチカバー
４１    第１スプリング結合環
４３    操作ノブ
４５    係止突起
４７    第２スプリング結合環
４８    ガイド孔
４９    フック通過孔
５０    ＬＣＤスイッチ部
５１    突起バー
５３    押しスイッチ
５５    ヒンジ
１０１    従来の携帯用コンピュータ
１１０    コンピュータ本体
１１１    タッチパッド
１１３    キーボード
１１５    ラッチ係止孔
１２０    液晶ディスプレイ
１２１    ＬＣＤケーシング
１２３    液晶パネル
１３３    ラッチ部材
１４３    ノブ
１５０    ＬＣＤスイッチ
１５１    突起バー
１５３    押しスイッチ
１５５    ヒンジ
２２０    液晶ディスプレイ
２１５    ラッチ係止孔
２３３    ラッチ部材
２５０    ＬＣＤスイッチ
２５１    突起バー
２５３    押しスイッチ
【図１】
0003607673.tif 000002
【図２】
0003607673.tif 000003
【図３】
0003607673.tif 000004
【図４】
0003607673.tif 000005
【図５】
0003607673.tif 000006
【図６】
0003607673.tif 000007
【図７】
0003607673.tif 000008